(57)【要約】【課題】患者を移動させる従来の労力のかかる方式を改善し、容易に、安全に、かつ介護人を背中などの負傷のリスクから回避して、患者を移送することが出来る移送マットレスを提供することである。【解決手段】移動可能な管状の布製スリーブで包囲され、人が横になるような寸法にされた矩形体であるマットレスと、前記管状の布製スリーブ上に固定され、ある余分な長さを有して前記管状の布製スリーブの周囲を包囲している第１の接合点と、前記第１の接合点と異なる点または同一の点で、前記管状の布製スリーブ上に固定された第２の接合点とを有する少なくとも１つのプル・ストラップとを備えること。【選択図】図１
0003129911.tif 000002
【実用新案登録請求の範囲】
【請求項１】
移動可能な管状の布製スリーブで包囲され、人が横になるような寸法にされた矩形体であるマットレスと、
前記管状の布製スリーブ上に固定され、余分な長さを有して前記管状の布製スリーブの周囲を包囲している第１の接合点と、前記第１の接合点と異なる点または同一の点で、前記管状の布製スリーブ上に固定された第２の接合点とを有する少なくとも１つのプル・ストラップとを備えることを特徴とする移送マットレス。
【請求項２】
前記プル・ストラップが、前記管状の布製スリーブの中央に配置された２つのストラップを有することを特徴とする請求項１に記載の移送マットレス。
【請求項３】
前記プル・ストラップの前記第１の接合点および前記第２の接合点が、同一の点に配置されていることを特徴とする請求項１に記載の移送マットレス。
【請求項４】
前記プル・ストラップの前記第１の接合点および前記第２の接合点が、異なる点に配置されていることを特徴とする請求項１に記載の移送マットレス。
【請求項５】
前記プル・ストラップの前記第１の接合点および／または前記第２の接合点が、前記プル・ストラップ上に２つの固定点を備えるＹ字型ストラップであることを特徴とする請求項１に記載の移送マットレス。
【請求項６】
前記ストラップの材料が、前記管状の布製スリーブの材料と同一であることを特徴とする請求項１に記載の移送マットレス。
【請求項７】
前記プル・ストラップおよび前記管状の布製スリーブの材料がナイロンであることを特徴とする請求項１に記載の移送マットレス。
【請求項８】
前記プル・ストラップの少なくとも一方の端部が、脱着可能であることを特徴とする請求項１に記載の移送マットレス。
【考案の詳細な説明】
【技術分野】
【０００１】
本考案は、移送マットレスに関し、より具体的には、患者を移動させるために適しているが、それに限定されないマットレス・セットに関する。
【背景技術】
【０００２】
人々は、時々病気にかかることになっており、外傷も時々生じる。したがって、総合的な医療システムを構築することは重要であり、常時の注意を必要とする。また、患者のための周辺機器は、良好な医療システムを構築するための関連する医療専門家および医療設備と同じくらい重要である。
【０００３】
例えば、患者を移動させることは、病院のベッドから手術台へ患者を移送することなど、医療処置で一般的に見られる。彼らの健康な相手方とは違って、患者にとっては、あちこちに移動されることは困難であり、痛みを伴う。患者をある場所から別の場所へ不適切に移送する結果として、痛みが生じやすく、そのため、医療の質が低下する。介護人に関しては、患者を移動させる不適切な方法によって、背中などに負傷が生じる機会が多くある。したがって、患者のスムーズな移送の良い方法を有することが、重要である。
【考案の開示】
【考案が解決しようとする課題】
【０００４】
本考案の目的は、患者を移動させる従来の労力のかかる方式を改善し、容易に、安全に、かつ介護人を背中などの負傷のリスクから回避して、患者を移送することが出来る移送マットレスを提供することである。
【課題を解決するための手段】
【０００５】
したがって、本出願人は、この主題に対する解決法を見出すことを企図しており、現在審査中である「Ｓｌｉｄｉｎｇ  Ｍａｔｔｒｅｓｓ」という題名の出願（台湾実用新案出願第０９４２１８３９１号）を提出した。出願人は、より良い解決法を見出すために継続的に取り組んできており、多数の試行の後、本「移送マットレス」を考案した。したがって、移動可能な管状の布製スリーブで包囲され、人が横になるような寸法にされた矩形体であるマットレスと、前記管状の布製スリーブ上に固定され、ある余分な長さを有して前記管状の布製スリーブの周囲を包囲している第１の接合点と、前記第１の接合点と異なる点または同一の点で、前記管状の布製スリーブ上に固定された第２の接合点とを有する少なくとも１つのプル・ストラップとを備える移送マットレスを提供することが、本考案の主態様である。
【０００６】
本考案の第２の態様によると、前記プル・ストラップが、前記管状の布製スリーブの中央に配置された２つのストラップを有する。
【０００７】
本考案の第３の態様によると、前記プル・ストラップの前記第１の接合点および前記第２の接合点が、同一の点に配置されている。
【０００８】
本考案の第４の態様によると、前記プル・ストラップの前記第１の接合点および前記第２の接合点が、異なる点に配置されている。
【０００９】
本考案の第５の態様によると、前記プル・ストラップの前記第１の接合点および／または前記第２の接合点が、前記プル・ストラップ上に２つの固定点を備えるＹ字型ストラップである。
【００１０】
本考案の第６の態様によると、前記ストラップの材料が、前記管状の布製スリーブの材料と同一である。
【００１１】
本考案の第７の態様によると、前記プル・ストラップおよび前記管状の布製スリーブの材料がナイロンである。
又、本考案の第８の態様によると、プル・ストラップの少なくとも一方の端部が、脱着可能である。
【考案を実施するための最良の形態】
【００１２】
本考案の上述の目的の達成は、以下の説明、および本考案の実施形態の例を開示するその添付の図面から明らかになるであろう。
【００１３】
図１から６を参照すると、本考案による移送マットレスは、マットレス１およびプル・ストラップ２を備え、マットレス１は、患者が横になるような寸法にされた矩形体である。本考案の一実施形態では、マットレス１は、内側クッション１１を備え、管状の布製スリーブ１２が、内側クッション１１を管状に包囲してもよい。布製スリーブ１２は、例えば、ストライプ・ナイロン製であってよいが、それに限定されず、内側クッション１１に対して回転されてもよい。
【００１４】
プル・ストラップ２は、管状の布製スリーブ１２の中央に取り付けられた単一の部片であってもよい。別法として、プル・ストラップ２は、本実施形態に示すように、２つの部片を備えてもよい。プル・ストラップ２の一方の端部は、第１の接合点２１を形成するために管状の布製スリーブ１２上に固定され、他方の端部は、管状の布製スリーブ１２の周囲を囲み、次に、管状の布製スリーブ１２上にストラップの余分な長さを有して第２の接合点２２を形成するために、管状の布製スリーブ１２に固定される。実際には、第２の接合点２２は、第１の接合点２１と同一の点に配置されてもよい、すなわち、第１および第２の接合点２１、２２は、好ましくは重ならないようにされるべきである。本考案の本実施形態に示すように、第１の接合点２１および第２の接合点２２は、異なる点に配置され、余分な長さは、マットレス１の幅にほぼ等しい。プル・ストラップ２の材料は、好ましくは管状の布製スリーブ１２の材料と同じであるが、それに限定されない。
【００１５】
図面を参照すると、本考案が操作されるとき、下方を向いている本考案の第１の接合点２１が、患者の下に挿入される。本考案の管状の布製スリーブが正しい位置に配置されたとき、プル・ストラップ２が、管状の布製スリーブ１２をマットレス１に対して回転させるためにその上部を引かれ、それによって、患者の体が、管状の布製スリーブ１２の回転の結果としてマットレス１上で自動的に移動される。患者の体の半分が、例えば手術台であるがそれに限定されない別のベッドへ移送されたとき、本考案が取り外され、患者が無事に移送される。
【００１６】
また、図７を参照すると、プル・ストラップ２の第１の接合点２１および／または第２の接合点２２は、強度を増加させるために２つの固定点を備えるＹ字型ストラップであってもよい。
【００１７】
本考案の実施態様では、患者を移動させる従来の労力のかかる方式が改善されることができる。本考案は、容易に、安全に、かつ介護人を背中などの負傷のリスクから回避して、患者を移送するために使用されることができる。実地試験で証明されたように、単一の介護人でさえも、患者の移送を達成することができる。
【００１８】
本考案が、その好ましい実施形態を参照にして説明されてきたが、修正または変更が、添付の実用新案登録請求の範囲で定義された本考案の精神から逸脱することなく容易に行われてもよいことを理解されたい。
【図面の簡単な説明】
【００１９】
【図１】本考案による移送マットレスの正面概略図である。
【図２】本考案による移送マットレスの背面概略図である。
【図３】患者の下に挿入されている本考案による移送マットレスの概略図である。
【図４】本考案による移送マットレスのプル・ストラップを引くことによって患者を移送することを示す概略図である。
【図５】本考案による移送マットレスのプル・ストラップが引かれた後の患者の位置を示す概略図である。
【図６】本考案による移送マットレスから別のマットレスへ移送された後の患者の位置を示す概略図である。
【図７】本考案による移送マットレスのプル・ストラップの別の実施形態の概略図である。
【符号の説明】
【００２０】
１  マットレス
２  ストラップ
１１  内側クッション
１２  管状の布製スリーブ
２１  第１の接合点
２２  第２の接合点
【図１】
0003129911.tif 000003
【図２】
0003129911.tif 000004
【図３】
0003129911.tif 000005
【図４】
0003129911.tif 000006
【図５】
0003129911.tif 000007
【図６】
0003129911.tif 000008
【図７】
0003129911.tif 000009